(57)【特許請求の範囲】
【請求項１】
物体側から像側に順に配置された、正の屈折力の第１レンズ群、負の屈折力の第２レンズ群、正の屈折力の第３レンズ群、負の屈折力の第４レンズ群、正の屈折力の第５レンズ群から構成され、ズーミング及びフォーカシングの少なくとも一方に際して隣り合うレンズ群の間隔が変化するズームレンズであって、
広角端から望遠端へのズーミングに際して、前記第１レンズ群と前記第２レンズ群の間隔が広がり、前記第２レンズ群と前記第３レンズ群の間隔が狭まり、前記第３レンズ群と前記第４レンズ群の間隔が変化し、前記第４レンズ群と前記第５レンズ群の間隔が変化しないように前記第４レンズ群と前記第５レンズ群が移動し、
前記第４レンズ群は１枚の負レンズより構成され、
フォーカシングに際して、前記第４レンズ群が移動し、
前記第４レンズ群の焦点距離をｆ４、前記第５レンズ群の焦点距離をｆ５とするとき、
７．０＜｜ｆ５／ｆ４｜＜２０．０
なる条件式を満足することを特徴とするズームレンズ。
【請求項２】
広角端における前記ズームレンズの焦点距離をｆｗとするとき、
１．０＜｜ｆ４／ｆｗ｜＜１．５
なる条件式を満足することを特徴とする請求項１に記載のズームレンズ。
【請求項３】
前記負レンズの材料のアッベ数をνｄ４ｎとするとき、
νｄ４ｎ＞５０．０
なる条件式を満足することを特徴とする請求項１または２に記載のズームレンズ。
【請求項４】
前記負レンズの物体側のレンズ面と像側のレンズ面の曲率半径を各々Ｒ４ｆ、Ｒ４Ｒとするとき、
１．２＜（Ｒ４ｆ＋Ｒ４Ｒ）／（Ｒ４ｆ−Ｒ４Ｒ）＜４．０
なる条件式を満足することを特徴とする請求項１乃至３のいずれか１項に記載のズームレンズ。
【請求項５】
前記第５レンズ群は負レンズと正レンズより構成され、前記第５レンズ群に含まれる負レンズの材料の屈折率をｎｄ５ｎ、前記正レンズの材料の屈折率をｎｄ５ｐとするとき、
ｎｄ５ｎ＞ｎｄ５ｐ
なる条件式を満足することを特徴とする請求項１乃至４のいずれか１項に記載のズームレンズ。
【請求項６】
前記第１レンズ群の焦点距離をｆ１、広角端における前記ズームレンズの焦点距離をｆｗとするとき、
２．０＜ｆ１／ｆｗ＜２．８
なる条件式を満足することを特徴とする請求項１乃至５のいずれか１項に記載のズームレンズ。
【請求項７】
像ぶれ補正に際して前記第２レンズ群は光軸と垂直方向の成分を含む方向に移動し、
前記第２レンズ群の焦点距離をｆ２、広角端における前記ズームレンズの焦点距離をｆｗとするとき、
０．３５＜｜ｆ２／ｆｗ｜＜０．６５
なる条件式を満足することを特徴とする請求項１乃至６のいずれか１項に記載のズームレンズ。
【請求項８】
広角端から望遠端へのズーミングに際して、前記第１レンズ群、前記第３レンズ群、前記第４レンズ群、前記第５レンズ群は物体側へ移動し、前記第２レンズ群は不動であることを特徴とする請求項１乃至７のいずれか１項に記載のズームレンズ。
【請求項９】
無限遠から近距離へのフォーカシングに際して、前記第４レンズ群は像側へ移動することを特徴とする請求項１乃至８のいずれか１項に記載のズームレンズ。
【請求項１０】
請求項１乃至９のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように撮像素子を用いた撮像装置、或いは銀塩フィルムを用いたカメラ等の撮像装置に好適なものである。
【背景技術】
【０００２】
近年、撮像装置に用いる撮像光学系には、全系が小型でありながら高ズーム比で高性能なズームレンズであることが要求されている。この他、静止画と共に動画も撮影が容易であること等からオートフォーカス（自動焦点検出）機構を有すること等が要望されている。これらの要求に応えるズームレンズの１つとして、物体側の第１レンズ群以外のレンズ群を移動させてフォーカシングを行う、所謂リヤーフォーカス式のズームレンズが知られている。
【０００３】
一般にリヤーフォーカス式のズームレンズは、第１レンズ群を移動させてフォーカシングを行うズームレンズに比べて第１レンズ群の有効径が小さくなり、レンズ系全体の小型化が容易になる。更に小型軽量のレンズ群でフォーカシングをすることができるため、フォーカシングレンズ群の駆動力が小さくて済み、フォーカス駆動機構等が簡素化され、かつ迅速な焦点合わせができる等の特徴がある。
【０００４】
従来、フォーカスレンズ群が小型軽量のリヤーフォーカス方式を用いたズームレンズが種々と提案されている（特許文献１乃至３）。特許文献１、２では正の屈折力の第１レンズ群、負の屈折力の第２レンズ群、正の屈折力の第３レンズ群、負の屈折力の第４レンズ群で構成されるズームレンズにおいて、第４レンズ群でフォーカシングを行っている。特に特許文献１ではフォーカシング用の第４レンズ群を正レンズと負レンズを接合した接合レンズ（１つのレンズ成分）より構成している。
【０００５】
特許文献３では正の屈折力の第１レンズ群、負の屈折力の第２レンズ群、正の屈折力の第３レンズ群、負の屈折力の第４レンズ群、正の屈折力の第５レンズ群で構成されるズームレンズにおいて、第４レンズ群でフォーカシングを行っている。特許文献３では第４レンズ群を１枚のレンズより構成し、迅速なフォーカシングが容易なズームレンズを開示している。
【先行技術文献】
【特許文献】
【０００６】
【特許文献１】特開２０１１−２４７９９８号公報
【特許文献２】特開２０１２−２７２６１号公報
【特許文献３】特開２０１２−４８１９９号公報
【発明の概要】
【発明が解決しようとする課題】
【０００７】
撮像装置に用いられるズームレンズには、全系がコンパクト（小型）で、迅速なフォーカシングが容易で、しかもフォーカシングに際して収差変動が少なく、物体距離全般にわたり高い光学性能を有することが要求されている。全系の小型化を図りつつ、フォーカシングに際しての収差変動が少なく、物体距離全般にわたり高い光学性能を得るには、ズームタイプ及びズーミング及びフォーカスレンズ群のレンズ構成等を適切に設定することが重要になってくる。
【０００８】
特にフォーカスレンズ群の屈折力や、フォーカスレンズ群よりも像側に配置されるレンズ群のレンズ構成等を適切に設定することが適切なるフォーカス敏感度を得て、かつフォーカシングを効果的に行うのに重要になってくる。
【０００９】
本発明は、物体距離全般にわたり高い光学性能を有し、さらに迅速なフォーカスが容易なズームレンズ及びそれを有する撮像装置の提供を目的とする。
【課題を解決するための手段】
【００１０】
本発明のズームレンズは、物体側から像側に順に配置された、正の屈折力の第１レンズ群、負の屈折力の第２レンズ群、正の屈折力の第３レンズ群、負の屈折力の第４レンズ群、正の屈折力の第５レンズ群から構成され、ズーミング及びフォーカシングの少なくとも一方に際して隣り合うレンズ群の間隔が変化するズームレンズであって、
広角端から望遠端へのズーミングに際して、前記第１レンズ群と前記第２レンズ群の間隔が広がり、前記第２レンズ群と前記第３レンズ群の間隔が狭まり、前記第３レンズ群と前記第４レンズ群の間隔が変化し、前記第４レンズ群と前記第５レンズ群の間隔が変化しないように前記第４レンズ群と前記第５レンズ群が移動し、
前記第４レンズ群は１枚の負レンズより構成され、
フォーカシングに際して、前記第４レンズ群が移動し、
前記第４レンズ群の焦点距離をｆ４、前記第５レンズ群の焦点距離をｆ５とするとき、
７．０＜｜ｆ５／ｆ４｜＜２０．０
なる条件式を満足することを特徴としている。
【発明の効果】
【００１１】
本発明によれば、物体距離全般にわたり高い光学性能を有し、さらに迅速なフォーカスが容易なズームレンズが得られる。
【図面の簡単な説明】
【００１２】
【図１】（Ａ）、（Ｂ）、（Ｃ）  本発明の実施例１の無限遠に合焦したときの広角端、中間のズーム位置、望遠端におけるレンズ断面図
【図２】（Ａ）、（Ｂ）、（Ｃ）  本発明の実施例１の無限遠に合焦したときの広角端、中間のズーム位置、望遠端における収差図
【図３】（Ａ）、（Ｂ）、（Ｃ）  本発明の実施例１の物体距離１．１ｍに合焦したときの広角端、中間のズーム位置、望遠端における収差図
【図４】（Ａ）、（Ｂ）、（Ｃ）  本発明の実施例２の無限遠に合焦したときの広角端、中間のズーム位置、望遠端におけるレンズ断面図
【図５】（Ａ）、（Ｂ）、（Ｃ）  本発明の実施例２の無限遠に合焦したときの広角端、中間のズーム位置、望遠端における収差図
【図６】（Ａ）、（Ｂ）、（Ｃ）  本発明の実施例２の物体距離１．１ｍに合焦したときの広角端、中間のズーム位置、望遠端における収差図
【図７】本発明の撮像装置の要部概略図
【発明を実施するための形態】
【００１３】
以下に、本発明の好ましい実施の形態を、添付の図面に基づいて詳細に説明する。本発明のズームレンズは、物体側から像側に順に配置された、正の屈折力の第１レンズ群、負の屈折力の第２レンズ群、正の屈折力の第３レンズ群、負の屈折力の第４レンズ群、正の屈折力の第５レンズ群から構成される。そしてズーミング及びフォーカシングの少なくとも一方に際して隣り合うレンズ群の間隔が変化する。広角端から望遠端へのズーミングに際して、第１レンズ群と第２レンズ群の間隔が拡がり、第２レンズ群と第３レンズ群の間隔が狭まり、第４レンズ群と第５レンズ群が移動する。
【００１４】
図１（Ａ）、（Ｂ）、（Ｃ）は、本発明の実施例１のズームレンズの広角端（短焦点距離端）、中間のズーム位置、望遠端（長焦点距離端）におけるレンズ断面図である。図２（Ａ）、（Ｂ）、（Ｃ）はそれぞれ実施例１のズームレンズの無限遠に合焦したときの広角端、中間のズーム位置、望遠端における収差図である。
【００１５】
図３（Ａ）、（Ｂ）、（Ｃ）はそれぞれ実施例１のズームレンズの物体距離１．１ｍに合焦したときの広角端、中間のズーム位置、望遠端における収差図である。ここで物体距離とは後述する数値データをｍｍ単位で表したときの値である。これは以下の実施例でも同様である。実施例１はズーム比４．３７、開口比４．１６〜５．８８程度のズームレンズである。
【００１６】
図４（Ａ）、（Ｂ）、（Ｃ）は、本発明の実施例２のズームレンズの広角端、中間のズーム位置、望遠端におけるレンズ断面図である。図５（Ａ）、（Ｂ）、（Ｃ）はそれぞれ実施例２のズームレンズの無限遠に合焦したときの広角端、中間のズーム位置、望遠端における収差図である。
【００１７】
図６（Ａ）、（Ｂ）、（Ｃ）はそれぞれ実施例２のズームレンズの物体距離１．１ｍに合焦したときの広角端、中間のズーム位置、望遠端における収差図である。実施例２はズーム比４．３３、開口比４．１６〜５．８８程度のズームレンズである。図７は本発明のズームレンズを備えるデジタルスチルカメラ（撮像装置）の要部概略図である。
【００１８】
各実施例のズームレンズは、銀塩フィルムカメラ、デジタルスチルカメラ、ビデオカメラ、デジタルビデオカメラ等の撮像装置に用いられる撮像光学系である。レンズ断面図において、左方が物体側（前方）で、右方が像側（後方）である。レンズ断面図において、ｉを物体側からのレンズ群の順番とするとＬｉは第ｉレンズ群である。ＳＰは絞り（開口絞り）である。
【００１９】
ＩＰは像面であり、ビデオカメラやデジタルスチルカメラの撮像光学系として使用する際にはＣＣＤセンサやＣＭＯＳセンサなどの撮像素子（光電変換素子）の撮像面が、銀塩フィルム用カメラのときはフィルム面に相当する。矢印は広角端から望遠端へのズーミングに際しての移動方向を示す。
【００２０】
それぞれの縦収差図は、左から順に、球面収差、非点収差、歪曲、倍率色収差を表している。球面収差と倍率色収差を示す図において、実線のｄはｄ線（５８７．６ｎｍ）、破線のｇはｇ線（４３５．８ｎｍ）を表している。また、非点収差を示す図において、実線のΔＳはｄ線のサジタル像面、破線のΔＭはｄ線のメリディオナル像面を表している。また、歪曲を示す図は、ｄ線における歪曲を表している。ＦｎｏはＦナンバー、ωは半画角（度）である。
【００２１】
本発明のズームレンズは、物体側から像側に順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成される。バックフォーカスＢＦは広角端における全系の焦点距離ｆｗに対して０．７ｆｗ〜０．８ｆｗと比較的長い。
【００２２】
広角端から望遠端へのズーミングに際して第１レンズ群Ｌ１と第２レンズ群Ｌ２の間隔が拡がり、第２レンズ群Ｌ２と第３レンズ群Ｌ３の間隔が狭まり、第４レンズ群Ｌ４と第５レンズ群Ｌ５が移動する。ズーミング又はフォーカシングの少なくとも一方において隣り合うレンズ群の間隔が変化する。第２レンズ群Ｌ２と第３レンズ群Ｌ３の間に開口絞りＳＰが配置される。ズーミングに際して第１レンズ群Ｌ１、第２レンズ群Ｌ２、第３レンズ群Ｌ３、第４レンズ群Ｌ４、第５レンズ群Ｌ５が移動する。第２レンズ群Ｌ２は不動である。
【００２３】
上述のレンズタイプのズームレンズでは、開口絞りＳＰより後方で、且つ像側に近いレンズ群は光束の有効径が小さくなりやすい。このため、開口絞りより後方で且つ像側に近いレンズ群をフォーカシングレンズ群にすると、保持機構および駆動機構を簡素化するとともに全系の小型化が容易となる。さらに、フォーカスレンズ群のレンズ構成を１枚のレンズで構成するとフォーカスレンズ群の軽量化が容易となる。
【００２４】
また開口絞りＳＰより像側の変倍作用の小さいレンズ群をフォーカシングレンズ群とすると、無限遠から至近に合焦させた際に像倍率変化を小さくできる。この点は、被写体が無限遠から至近に変化した際に画角の変化を小さくすることができる為、動画撮影時において最適となる。
【００２５】
このため、各実施例では開口絞りＳＰより後方で且つ像側に近い第４レンズ群Ｌ４をフォーカシングレンズ群としている。これによりフォーカシングレンズ群の小型化を図りつつ、無限遠から至近に合焦させた際の像倍率の変化を小さくしている。無限遠から近距離へのフォーカシングに際して、第４レンズＬ４は像側へ移動する。また上述のレンズタイプのズームレンズでは、第５レンズ群Ｌ５のレンズ構成を適切に設定することで、第４レンズ群Ｌ４に適度なフォーカス敏感度を与え、且つレンズ全長の短縮化を図っている。
【００２６】
第４レンズ群Ｌ４は１枚の負レンズＧ４ｎより構成され、フォーカシングに際して、第４レンズ群Ｌ４が移動する。第４レンズ群Ｌ４の焦点距離をｆ４、第５レンズ群Ｌ５の焦点距離をｆ５とする。このとき、
７．０＜｜ｆ５／ｆ４｜＜２０．０    ・・・（１）
なる条件式を満足する。
【００２７】
条件式（１）は、フォーカシングの際のフォーカス敏感度を適切に設定し、収差変動を小さくするためのものである。条件式（１）の上限値を超えて第４レンズ群Ｌ４の負の屈折力が強くなると（負の屈折力の絶対値が大きくなると）、フォーカシングの際に光学性能の変動が大きくなる。又、第５レンズ群Ｌ５の屈折力が弱くなると、レンズ全長が長くなり、全系の小型化が困難となる。さらに広角端へのズーミングに際して像面変動が大きくなり、高い光学性能を維持することが困難となる。
【００２８】
また、条件式（１）の下限値を超えて第４レンズ群Ｌ４の屈折力が弱くなると（負の屈折力の絶対値が小さくなると）、第４レンズ群Ｌ４のフォーカス敏感度が小さくなりフォーカシングに際して移動量が増加、レンズ全長が増大してくる。又、第５レンズ群Ｌ５の正の屈折力が強くなると、射出瞳が長くなり過ぎてレンズ全長が増加する。更に開口絞りＳＰより後方にあるレンズ群のレンズ有効径が大きくなり、第４レンズ群Ｌ４の小型・軽量化が困難になる。
【００２９】
さらに第４レンズ群Ｌ４と第５レンズ群Ｌ５の位置敏感度が上がり、製造が困難となる。更に好ましくは条件式（１）の数値範囲を次の如く設定するのが良い。
【００３０】
１０．０＜｜ｆ５／ｆ４｜＜１６．０    ・・・（１ａ）
各実施例によれば、以上のようにレンズ構成を特定することによって、動画対応に最適で小型で軽量なフォーカシングレンズ群を有するズームレンズが得られる。各実施例において、更に小型で軽量なフォーカシングを有しつつ、高い光学性能を得るには、次の条件式のうち１つ以上を満足するのが良い。
【００３１】
広角端における全系（ズームレンズ）の焦点距離をｆｗ、負レンズＧ４ｎの材料のアッベ数をνｄ４ｎとする。負レンズＧ４ｎの物体側のレンズ面と像側のレンズ面の曲率半径を各々Ｒ４ｆ、Ｒ４Ｒとする。第５レンズ群Ｌ５は負レンズＧ５ｎと正レンズＧ５ｐより構成され、負レンズＧ５ｎの材料の屈折率をｎｄ５ｎ、正レンズＧ５ｐの材料の屈折率をｎｄ５ｐとする。第１レンズ群Ｌ１の焦点距離をｆ１とする。像ぶれ補正に際して第２レンズ群Ｌ２は光軸と垂直方向の成分を含む方向に移動し、第２レンズ群Ｌ２の焦点距離をｆ２とする。このとき次の条件式のうち１つ以上を満足するのが良い。
【００３２】
１．０＜｜ｆ４／ｆｗ｜＜１．５                            ・・・（２）
νｄ４ｎ＞５０．０                                        ・・・（３）
１．２＜（Ｒ４ｆ＋Ｒ４Ｒ）／（Ｒ４ｆ−Ｒ４Ｒ）＜４．０    ・・・（４）
ｎｄ５ｎ＞ｎｄ５ｐ                                        ・・・（５）
２．０＜ｆ１／ｆｗ＜２．８                                ・・・（６）
０．３５＜｜ｆ２／ｆｗ｜＜０．６５                        ・・・（７）
【００３３】
次に前述の各条件式の技術的内容について説明する。条件式（２）は、条件式（１）と同様にフォーカスレンズ群の敏感度をより適切に設定するためのものである。条件式（２）の上限値を超えて第４レンズ群Ｌ４の負の屈折力が弱くなると、第４レンズ群Ｌ４のフォーカス敏感度が小さくなり好ましくない。条件式（２）の下限値を超えて第４レンズ群Ｌ４の屈折力が強くなると、フォーカシングの際に光学性能の変動が大きくなってくる。
【００３４】
条件式（３）はフォーカシングの際の色収差の変動を少なくするためのものである。条件式（３）の下限値を超えて第４レンズ群Ｌ４を構成する負レンズＧ４の材料のアッベ数が小さくなると、フォーカシングの際の色収差の変動が大きくなり、光学性能が低下してくる。
【００３５】
条件式（４）は、第４レンズ群Ｌ４を構成する負レンズＧ４ｎのメニスカス形状を示すシェイプファクターである。条件式（４）の上限値を超えると、フォーカシングの際に像面の変動が大きくなり、第４レンズ群Ｌ４を１枚のレンズで構成することが困難となる。条件式（４）の下限値を超えると、フォーカシングの際にコマ収差の変動が大きくなり、第４レンズ群Ｌ４を１枚のレンズで構成することが困難となる。
【００３６】
条件式（５）は、第５レンズ群Ｌ５を構成する負レンズＧ５ｎの材料と正レンズＧ５ｐの材料の屈折率に関する。条件式（５）を満足すると、ペッツバール和が増加する。これは、レンズ全長を短縮化する為に各レンズ面の屈折力を高くして減少したペッツバール和を補正するのに効果的である。またこれにより倍率色収差の発生を軽減すると同時に良好な像面性能（像面特性）を維持することができる。
【００３７】
条件式（６）は、全系の小型・軽量化を図りつつ、良好な光学性能を得るためのものである。条件式（６）の上限値を超えて第１レンズ群Ｌ１の正の屈折力が弱くなると、全系が大型化してくる。条件式（６）の下限値を超えて第１レンズ群Ｌ１の正の屈折力が強くなると、望遠端において、色収差が増加し、高い光学性能を維持するのが困難になる。
【００３８】
各実施例においては、像ぶれ補正に際して第２レンズ群Ｌ２を光軸に対して垂直方向の成分を持つように移動させる。即ち、防振を行う。
【００３９】
条件式（７）はこのときの防振時の光学性能を良好に維持しつつ、防振のための駆動機構の小型化を達成するためのものである。条件式（７）は、広角端における全系の焦点距離に対する第２レンズ群Ｌ２の負の屈折力を適切にしている。これにより像ぶれ補正の際に第２レンズ群Ｌ２を光軸に対して垂直方向の成分を持つように移動させた時の収差変動の敏感度と、像位置補正の敏感度をバランス良く維持している。
【００４０】
条件式（７）の上限値を超えて第２レンズ群Ｌ２の負の屈折力が弱くなると、防振時に対して垂直成分を持つ方向に駆動させる量が大きくなって駆動機構が大型化してくる。
【００４１】
条件式（７）の下限値を超えて第２レンズ群Ｌ２の負の屈折力が強くなると、防振の際に偏心収差が多く発生し、防振時の光学性能が低下してくる。また、第２レンズ群Ｌ２の変位量に対する像位置の変化量（以下、防振敏感度という）が大きくなる。このため、必要な防振効果を得るための第２レンズ群Ｌ２の変位量が小さくなり過ぎて、その変位量を電気的又は機械的に精度良く制御するのが困難になる。更に好ましくは条件式（２）乃至（４）、（６）、（７）の数値範囲を次の如く設定するのが良い。
【００４２】
１．０＜｜ｆ４／ｆｗ｜＜１．２                            ・・・（２ａ）
νｄ４ｎ＞５５．０                                        ・・・（３ａ）
１．３＜（Ｒ４ｆ＋Ｒ４Ｒ）／（Ｒ４ｆ−Ｒ４Ｒ）＜２．０    ・・・（４ａ）
２．０５＜ｆ１／ｆｗ＜２．６０                            ・・・（６ａ）
０．４５＜｜ｆ２／ｆｗ｜＜０．６０                        ・・・（７ａ）
【００４３】
各実施例において、ズーミングに際して第４レンズ群Ｌ４と第５レンズ群Ｌ５を一体的に（同じ移動軌跡で）移動しているが、各々独立に（異なった軌跡で）移動しても良い。各実施例において第１レンズ群Ｌ１を物体側から像側へ順に配置された正レンズ、負レンズと正レンズを接合した接合レンズより構成するのが良い。第２レンズ群Ｌ２を物体側から像側へ順に配置された負レンズと正レンズを接合した接合レンズ、負レンズより構成するのが良い。第３レンズ群Ｌ３を物体側から像側へ順に配置された正レンズ、正レンズ、負レンズ、正レンズ、負レンズより構成するのが良い。
【００４４】
次に、本発明のズームレンズを用いた一眼レフカメラシステム（撮像装置）の実施例を、図７を用いて説明する。図７において、１０は一眼レフカメラ本体、１１は本発明によるズームレンズを搭載した交換レンズである。１２は交換レンズ１１を通して得られる被写体像を受光するフィルムや撮像素子などの記録手段である。１３は交換レンズ１１からの被写体像を観察するファインダー光学系、１４は交換レンズ１１で形成された被写体像を記録手段１２とファインダー光学系１３に切り替えて伝送するための回動するクイックリターンミラーである。
【００４５】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。
【００４６】
このように本発明のズームレンズを一眼レフカメラ等の交換レンズ等の撮像装置に適用することにより、高い光学性能を有した撮像装置を得ている。また、本発明の撮像装置は、クイックリターンミラー１４等を有さないミラ−レスの一眼レフカメラでも良いし、レンズ交換式ではない構成のものにも適用できる。
【００４７】
以下、実施例１、２に対応する具体的な数値データを示す。各数値データにおいて、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。広角は広角端、中間は中間のズーム位置、望遠は望遠端を示している。ＢＦはバックフォーカスであり、レンズ最終面から近軸像面までの距離を表したものである。
【００４８】
レンズ全長は最も物体側のレンズ面から最終レンズ面までの距離にバックフォーカスＢＦを加えたものである。また各実施例における上述した条件式との対応を表１に示す。
【００４９】
（数値データ１）
単位 mm
面データ
面番号       r        d      nd         νd
1         56.117    4.61   1.48749    70.2           
2        336.254    0.15                             
3         84.159    2.00   1.83400    37.2           
4         45.033    5.44   1.49700    81.5           
5        327.226  (可変)                             
6       -246.749    1.20   1.76200    40.1           
7         17.931    4.29   1.80809    22.8           
8         87.951    2.11                             
9        -42.910    1.00   1.80610    40.9           
10        113.279  (可変)                             
11(絞り)    ∞       1.00                             
12         64.213    4.34   1.51633    64.1           
13        -32.475    0.15                             
14         37.791    2.66   1.59522    67.7           
15        286.536    1.89                             
16        -38.518    1.00   1.84666    23.8           
17       -195.936    0.15                             
18         33.287    5.16   1.58913    61.1           
19       -164.075    0.10                             
20         18.476    1.17   1.51633    64.1           
21         14.349  (可変)                             
22        218.373    0.80   1.59522    67.7           
23         29.991   17.32                             
24        -41.222    0.80   1.80100    35.0           
25         35.310    5.12   1.67270    32.1           
26        -29.606  (可変)                             
像面        ∞   
【００５０】
各種データ
ズーム比       4.37
広角     中間     望遠
焦点距離      56.47   133.45   246.72  
Fナンバー      4.16     5.15     5.88  
半画角（度）  13.60     5.84     3.17  
像高          13.66    13.66    13.66  
レンズ全長   150.00   184.93   191.02  
BF            41.97    57.83    68.71  
無限遠における間隔
d 5            5.75    40.67    46.77  
d10           33.96    19.91     2.65  
d21            5.89     4.08    10.46  
d26           41.97    57.83    68.71  
物体距離１．１ｍにおけるにおける間隔
d 5            5.75    40.67    46.77  
d10           33.96    19.91     2.65  
d21            6.93     8.46    25.26  
d23           16.28    12.94    2.51  
d26           41.97    57.83    68.71  
ズームレンズ群データ
群  始面    焦点距離  
1    1     119.35  
2    6     -27.50  
3   11      28.33  
4   22     -58.50  
5   24     700.00  
【００５１】
（数値データ２）
単位 mm
面データ
面番号       r        d      nd         νd
1         55.713    4.84   1.48749    70.2           
2        481.454    0.15                             
3         81.243    2.00   1.83400    37.2           
4         43.632    5.26   1.49700    81.5           
5        219.054  (可変)                             
6       -162.631    1.20   1.76200    40.1           
7         19.287    4.16   1.80809    22.8           
8         96.647    2.42                             
9        -42.859    1.00   1.80400    46.6           
10        137.325  (可変)                             
11(絞り)    ∞       1.00                             
12         85.832    5.48   1.51742    52.4           
13        -33.068    0.15                             
14         38.853    3.25   1.59522    67.7           
15       -222.885    1.24                             
16        -45.621    1.00   1.84666    23.8           
17        638.179    0.15                             
18         28.610    5.21   1.51633    64.1           
19       -246.941    0.81                             
20         18.150    1.00   1.51823    58.9           
21         14.371  (可変)                             
22        187.777    0.80   1.60738    56.8           
23         30.385   17.68                             
24        -43.159    0.80   1.83400    37.2           
25         40.671    3.03   1.68893    31.1           
26        -30.079  (可変)                             
像面        ∞   
【００５２】
各種データ
ズーム比       4.33
広角     中間     望遠
焦点距離      57.03   133.45   246.73  
Fナンバー      4.16     5.14     5.88  
半画角（度）  13.47     5.84     3.17  
像高          13.66    13.66    13.66  
レンズ全長   150.01   184.93   191.12  
BF            43.18    58.53    68.43  
無限遠における間隔
d 5            5.01    39.93    46.12  
d10           33.42    19.64     2.57  
d21            5.77     4.20    11.36  
d26           43.18    58.53    68.43  
物体距離１．１ｍにおけるにおける間隔
d 5            5.01    39.93    46.12  
d10           33.42    19.64     2.57  
d21            6.86     8.66    26.52  
d23           16.60    13.22     2.52  
d26           43.18    58.53    68.43  
ズームレンズ群データ
群  始面    焦点距離  
1    1     120.38  
2    6     -27.56  
3   11      28.90  
4   22     -59.80  
5   24     895.00  
【００５３】
【表１】
0006646251.tif 000002
【符号の説明】
【００５４】
Ｌ１  第１レンズ群      Ｌ２  第２レンズ群      Ｌ３  第３レンズ群
Ｌ４  第４レンズ群      Ｌ５  第５レンズ群      ＳＰ  開口絞り
【図１】
0006646251.tif 000003
【図２】
0006646251.tif 000004
【図３】
0006646251.tif 000005
【図４】
0006646251.tif 000006
【図５】
0006646251.tif 000007
【図６】
0006646251.tif 000008
【図７】
0006646251.tif 000009